(57)【要約】【課題】ユーザがタッチパネル上を清掃していることを確実に判定できるタッチパネル装置、その制御方法、およびその制御プログラムの提供。【解決手段】タッチパネル装置１の入力部３が、パネル部２上への押圧操作があったことを検出すると、検出部４が入力部３による検出結果に基づいてパネル部２上の押圧位置を検出する。制御部６は、検出部４からの押圧位置を示す信号に基づいて、パネル部２上の押圧面積を算出する。制御部６は、算出されたパネル部２上の押圧面積が所定値Ｓ以上の場合に、パネル部２を払拭状態として、それ以降のパネル部２への入力を無効とする。パネル部２の払拭状態は、所定時間経過後に解除されて通常状態に復帰し、再びパネル部２への入力が有効となる。【選択図】図１
2008282206.tif 000002
【特許請求の範囲】
【請求項１】
パネル上への押圧があったことを検出する入力検出手段と、
前記入力検出手段による検出結果に基づいて、前記パネル上の押圧位置を検出する押圧位置検出手段と、
前記押圧位置検出手段による検出結果に基づいて、前記パネル上の押圧面積を算出する押圧面積算出手段と、
前記押圧面積算出手段による算出結果に基づいて、前記パネル上の押圧面積が所定値以上あるいは所定値より大きい場合に、前記パネルを払拭状態として、前記パネルへの入力を無効とする入力制御手段とを備えたことを特徴とするタッチパネル装置。
【請求項２】
前記入力制御手段は、前記パネル上の押圧面積が所定値以上あるいは所定値より大きい場合に、前記パネル上に確認表示をし、確認表示を見たユーザによる許可が得られた時に、前記パネルを前記払拭状態とすることを特徴とする請求項１記載のタッチパネル装置。
【請求項３】
外部からの警報を受信する警報入力手段を備え、前記入力制御手段は、前記警報入力手段が外部からの警報を受信した場合には、前記パネルの前記払拭状態への移行を禁止することを特徴とする請求項１または２記載のタッチパネル装置。
【請求項４】
前記入力制御手段は、前記パネルを前記払拭状態とした後に、前記パネル上の押圧された範囲を払拭軌跡として、前記パネル上に表示することを特徴とする請求項１乃至３のいずれかに記載のタッチパネル装置。
【請求項５】
前記入力制御手段は、前記パネルを前記払拭状態とした後に、前記パネル上の押圧された広さと前記パネル全体の広さとの関係に基づいて、前記払拭状態を終了することを特徴とする請求項４記載のタッチパネル装置。
【請求項６】
前記入力制御手段は、前記パネルを前記払拭状態とした後に、所定時間の間、前記パネルが押圧されない場合に、前記払拭状態を終了することを特徴とする請求項４記載のタッチパネル装置。
【請求項７】
パネル上への押圧があったことを検出する入力検出手段と、
前記入力検出手段による検出結果に基づいて、前記パネル上の押圧位置を検出する押圧位置検出手段と、
前記押圧位置検出手段による検出結果に基づいて、前記パネル上の押圧面積を算出する押圧面積算出手段と、
前記押圧面積算出手段による算出結果に基づいて、前記パネル上の押圧面積が所定値以上あるいは所定値より大きい場合に、前記パネルを払拭状態として、前記パネルへの入力を無効とする入力制御手段とを備えたことを特徴とするタッチパネル装置の制御方法。
【請求項８】
パネルと接続されたコンピュータにより実行されるタッチパネル装置の制御プログラムであって、
前記パネル上の押圧位置を検出する押圧位置検出ステップと、
前記押圧位置検出ステップによる検出結果に基づいて、前記パネル上の押圧面積を算出する押圧面積算出ステップと、
前記押圧面積算出ステップによる算出結果に基づいて、前記パネル上の押圧面積が所定値以上あるいは所定値より大きい場合に、前記パネルを払拭状態として、前記パネルへの入力を無効とする入力制御ステップとを備えたことを特徴とするタッチパネル装置の制御プログラム。
【発明の詳細な説明】
【技術分野】
【０００１】
本発明は、パネル表面に押圧することにより入力を行うタッチパネル装置、その制御方法、およびその制御プログラムに関する。
【背景技術】
【０００２】
現在、表示機能と入力機能とを併せ持ったタッチパネル装置は、銀行等のＡＴＭ（Automated Teller Machine）、鉄道の券売機の操作画面、車載用ナビゲーション装置のディスプレイといった屋内外の様々なところで使用されている。タッチパネル装置は画面を見ながらその上を押圧することにより入力操作を行うことができ、高齢者等にとっても操作が簡単で非常に便利である。
【０００３】
しかし、その一方、タッチパネル装置は入力を目的として画面上をユーザが指等で押圧するため、画面上に指紋跡や埃等が付着し、画面の視認性を維持するためには、定期的に画面上を払拭する清掃作業が必要となる。通常、画面上を清掃する必要性はタッチパネルの使用時に感ずることが多く、この場合タッチパネル装置の電源を入れたまま払拭作業を行うことになる。ところが、タッチパネル装置の電源を入れたまま払拭作業を行うと、画面の払拭作業を装置への入力と誤判定して、装置がユーザの意図しない作動モードへと進行してしまい、もとの状態まで復帰させるのに手間と時間を要した。これを避けるためには、装置の電源を一旦オフする必要があり、これもまたユーザにとって手間のかかるものであった。
【０００４】
これに対し、指等をタッチパネル装置の画面上に接触させながら移動させたことが検出された場合、あるいは画面上を押圧する点が所定の数以上であることが検出された場合には、タッチパネルが清掃されていると判断して、画面に触れることによる入力を無効とするタッチパネル装置に関する従来技術があった（例えば、特許文献１参照）。これによれば、画面上に触れる一定の操作をした場合、清掃モードとすることにより、画面の払拭作業をユーザの入力操作とは識別することが可能であり、その誤判定を低減することができる。
【特許文献１】特開２００２−３１８６６４号公報
【発明の開示】
【発明が解決しようとする課題】
【０００５】
しかしながら、実際に入力操作を行う場合において、接触物の画面に対する移動が検出されることも考えられる。特に、ユーザの操作が乱暴な場合、指等が画面に対して移動しながら入力操作が行われるため、この状態と清掃時の接触物の動作との識別が困難になることもある。また、入力操作を行う場合、誤ってユーザの身体あるいは持ち物が、画面上の互いに離れた位置にある複数の箇所に触れることにより、画面上を押圧する点が所定の数以上となることもあった。従って、上述した従来技術によるタッチパネル装置においても、画面上を清掃することを正確に判定できるものではなかった。
本発明は、上記事情に鑑みてなされたものであり、その目的は、ユーザがタッチパネル上を清掃していることを確実に判定できるタッチパネル装置、その制御方法、およびその制御プログラムを提供することにある。
【課題を解決するための手段】
【０００６】
本発明の課題を解決するために、請求項１の発明によれば、押圧面積算出手段による算出結果に基づいて、パネル上の押圧面積が所定値以上あるいは所定値より大きい場合に、パネルを払拭状態として、パネルへの入力を無効とする入力制御手段を備えたことにより、特別な操作をしなくても、パネル上の払拭作業を確実に検出することができ、パネルへの情報の誤入力を防ぐことができる。
【０００７】
請求項２の発明によれば、パネル上の押圧面積が所定値以上あるいは所定値より大きい場合に、パネル上に確認表示をし、確認表示を見たユーザによる許可が得られた時に、パネルを払拭状態とすることにより、パネル上の払拭作業をよりいっそう確実に検出することができる。
【０００８】
請求項３の発明によれば、警報入力手段が外部からの警報を受信した場合には、パネルの払拭状態への移行を禁止することにより、パネルの払拭作業の有無にかかわらず、緊急性を有する警報を確実に表示してユーザに通知するとともに、ユーザの入力を有効にして警報に対処することができる。
【０００９】
請求項４の発明によれば、パネルを払拭状態とした後に、パネル上の押圧された範囲を払拭軌跡として、パネル上に表示することにより、ユーザがパネルの払拭作業の進捗状況を把握することができる。
【００１０】
請求項５の発明によれば、パネルを払拭状態とした後に、パネル上の押圧された広さとパネル全体の広さとの関係に基づいて、払拭状態を終了することにより、特別な操作をしなくても、パネルの払拭作業の進行状況に応じて払拭状態を終了させ、パネルへの入力を有効にすることができる。
【００１１】
請求項６の発明によれば、パネルを払拭状態とした後に、所定時間の間、パネルが押圧されない場合に、払拭状態を終了することにより払拭作業が中断したような場合、特別な操作をしなくてもパネルへの入力を復帰させることができる。
【００１２】
請求項７の発明によれば、押圧面積算出手段による算出結果に基づいて、パネル上の押圧面積が所定値以上あるいは所定値より大きい場合に、パネルを払拭状態として、パネルへの入力を無効とする入力制御手段を備えたことにより、特別な操作をしなくても、パネル上の払拭作業を正確に検出することができ、パネルへの情報の誤入力を防ぐタッチパネル装置の制御方法にすることができる。
【００１３】
請求項８の発明によれば、押圧面積算出ステップによる算出結果に基づいて、パネル上の押圧面積が所定値以上あるいは所定値より大きい場合に、パネルを払拭状態として、パネルへの入力を無効とする入力制御ステップを備えたことにより、特別な操作をしなくても、パネル上の払拭作業を正確に検出することができ、パネルへの情報の誤入力を防ぐタッチパネル装置の制御プログラムにすることができる。
【発明を実施するための最良の形態】
【００１４】
＜実施形態１＞
図１乃至図４に基づいて、本発明の実施形態１について説明する。タッチパネル装置１はパネル部２に所定画像を表示するとともに、パネル部２の所定位置を押圧することにより入力を可能とするものであり、これに限定されるものではないが、例えば、車載ナビゲーション装置（図示せず）の表示画面に使用されるものである。ここで、本出願において、パネル部２への入力を行う場合、一貫してパネル部２の所定位置を「押圧する」という表現を使用しているが、この表現は言葉から受ける狭い意味を表すことを意図しているものではなく、パネル部２の表面上への接触、当接、押し下げ、加圧、付勢といった、あらゆる入力動作を包含しているものである。
【００１５】
タッチパネル装置１のパネル部２（本発明のパネルに該当する）は、パネル部２上への押圧があったことを検出する入力部３（本発明の入力検出手段に該当する）、入力部３による検出結果に基づいてパネル部２上の押圧位置を検出する検出部４（本発明の押圧位置検出手段に該当する）、および後述する制御部６の指示によって、画像を表示する表示部５によって形成されている（図１示）。通常のタッチパネル装置１においては、上述した入力部３、検出部４および表示部５は一体となってパネル部２を形成している。
【００１６】
制御部６（本発明の押圧面積算出手段および入力制御手段に該当する）はコンピュータにより形成されており、パネル部２と接続され、表示部５へ画像データを出力して画像表示させる。また制御部６は、検出部４からの押圧位置を示す信号に基づいて、パネル部２上の押圧面積を算出し、パネル部２上の押圧面積が所定値以上の場合に、パネル部２を払拭状態としてパネル部２への入力を無効としている。
【００１７】
また、制御部６には警報入力部７、軌跡形成部８およびタイマー部９が接続されている。警報入力部７（本発明の警報入力手段に該当する）が、車両から発信された車両故障が発生した旨の緊急警報を受信すると、制御部６はパネル部２に警報の内容を表示させる。軌跡形成部８は、後述するように、パネル部２が払拭状態となった後に、パネル部２上の押圧された範囲に基づいて払拭軌跡を形成する。タイマー部９は制御部６からの指示に基づいて、各種のタイマー機能を設定する。
【００１８】
次に、図２に基づいて、パネル部２の入力検出機能について、光学方式を例にして具体的に説明する。図２に示すように、パネル部２の表示画面上には矩形状の保護板１０が配置されており、指等により押圧可能とされている。保護板１０の隣り合う２辺の外側には、複数個の発光ダイオード１１（図中一列において１個のみに符号を付している）がそれぞれ一列に並べられている。また、保護板１０の残りの隣り合う２辺の外側には、複数個のフォトトランジスタ１２（図中一列において１個のみに符号を付している）が、それぞれ上述した発光ダイオード１１と対向するように一列に並べられている。
【００１９】
ここで、各々の発光ダイオード１１は図示しないドライバーを介して制御部６に接続されている。また、各フォトトランジスタ１２も、送信可能なように制御部６に接続されている。この発光ダイオード１１およびフォトトランジスタ１２の縦横の配置により、保護板１０上には二次元座標が形成されている。以下、縦横の各々の発光ダイオード１１からの発光が交わる位置に形成される各ドットを座標と呼ぶ。尚、本実施形態において、発光ダイオード１１およびフォトトランジスタ１２は、本発明の入力検出手段および押圧位置検出手段の具体例に該当する。
【００２０】
パネル部２への押圧操作がない場合、各々の発光ダイオード１１から、縦方向あるいは横方向に発せられた赤外線等の発光は、それぞれ対向するフォトトランジスタ１２によりすべて受光される。一方、パネル部２の所定箇所への押圧操作があった場合、各発光ダイオード１１から押圧された位置に向けて縦方向および横方向に発せられた光は、パネル部２を押圧する指等により遮られて受光側のフォトトランジスタ１２に到達しない。受光しなかった横辺および縦辺に配置された２個のフォトトランジスタ１２が特定されることにより、制御部６はパネル部２上の該当する座標位置において、押圧操作があったことを検出する（図２示）。
【００２１】
次に、図３に基づいて、パネル部２上の押圧面積の算出方法について説明する。図３に示すように、同時に、パネル部２の複数の座標位置（図３において・にて示す）への押圧操作があった場合、これらの座標に向けて、発光ダイオード１１から縦方向および横方向に発せられた光は押圧物に遮られ、フォトトランジスタ１２によって受光されることはない。すなわち、縦方向に並べられたフォトトランジスタ１２の内の３個が受光せず、また、横方向に並べられたフォトトランジスタ１２の内の４個が受光しない(図３示)。
【００２２】
制御部６は、縦横に並んだフォトトランジスタ１２の内、受光しなかった複数個が縦方向あるいは横方向に連続しているものに限って、これらの座標位置が同時に押圧されたものとして、押圧された座標をその最外郭とする矩形状の領域１３の面積を算出する。求められた領域１３の面積は、制御部６において、押圧面積として予め設定された所定値Ｓと比較される。
【００２３】
次に、図４に示されたフローチャートに基づいて、制御部６によるタッチパネル装置１の制御方法および制御プログラムについて説明する。尚、制御部６による制御プログラムの開始時において、パネル部２は通常状態（払拭状態ではない）に設定されており、パネル部２上への入力は有効とされている。まず、ステップＳ４０１において、フォトトランジスタ１２からの信号に基づいて、パネル部２上において押圧操作があったか否かが判定される（入力検出手段）。パネル部２上における押圧操作があった場合、上述したように、フォトトランジスタ１２の受光状態に基づいて、制御部６はパネル部２上の押圧位置を検出する（ステップＳ４０２：押圧位置検出手段、押圧位置検出ステップ）。
【００２４】
次に、制御部６は前述した方法により、押圧された座標位置からパネル部２上の押圧面積を算出する（ステップＳ４０３：押圧面積算出手段、押圧面積算出ステップ）。次に、ステップＳ４０４において、算出されたパネル部２上の押圧面積が、予め設定された所定値Ｓ以上であるか否かが判定される。押圧面積が所定値Ｓ未満である場合、パネル部２の通常状態が継続される。押圧面積が所定値Ｓ以上である場合、タイマー部９によりタイマーが起動された後（ステップＳ４０５）、ステップＳ４０６において、パネル部２が払拭状態とされ、これ以降、制御部６はパネル部２への入力を無効とする（入力制御手段、入力制御ステップ）。払拭状態中は、払拭状態であることをユーザに通知するため、パネル部２の画面全体を指紋跡や埃の目立つ黒色等にすることが望ましい。パネル部２の払拭状態は、ステップＳ４０７においてタイムアップするまで継続され、所定時間が経過してタイムアップすると、パネル部２は通常状態へと復帰して再び入力が有効とされる（ステップＳ４０８）。
【００２５】
本実施形態によれば、算出したパネル部２上の押圧面積が所定値Ｓ以上の場合に、制御部６がパネル部２を払拭状態として、パネル部２への入力を無効とすることにより、特別な操作をしなくても、パネル部２上の払拭作業を正確に検出することができ、パネル部２への情報の誤入力を防ぐことができる。
【００２６】
また、算出したパネル部２上の押圧面積が所定値Ｓ以上の場合に、制御部６がパネル部２を払拭状態として、パネル部２への入力を無効とすることにより、特別な操作をしなくても、パネル部２上の払拭作業を正確に検出することができ、パネル部２への情報の誤入力を防ぐタッチパネル装置の制御方法にすることができる。
【００２７】
また、算出したパネル部２上の押圧面積が所定値Ｓ以上の場合に、制御部６がパネル部２を払拭状態として、パネル部２への入力を無効とすることにより、特別な操作をしなくても、パネル部２上の払拭作業を正確に検出することができ、パネル部２への情報の誤入力を防ぐタッチパネル装置の制御プログラムにすることができる。
【００２８】
＜実施形態２＞
次に、図５に示されたフローチャートに基づいて、本発明の実施形態２によるタッチパネル装置１の制御方法および制御プログラムについて説明する。本実施形態の説明においては、図４に示した実施形態１による制御フローチャートと異なる箇所のみについて説明する。ステップＳ５０４において、算出されたパネル部２上の押圧面積が所定値Ｓ以上である場合、制御部６はパネル部２上に状態確認キー（本発明の確認表示に該当する）を表示する（ステップＳ５０５）。これは、実際にユーザがパネル部２上において払拭作業をしているか確認するためのもので、ユーザが払拭作業をしているか否かを選択して入力可能なように形成されている（ステップＳ５０６）。
【００２９】
この表示を見たユーザが払拭作業中ではない選択をした場合、パネル部２の通常状態が継続される。ユーザが払拭作業中であるという選択をして、払拭状態への移行を許可した場合、上述した実施形態１と同様に、タイマーが起動された後（ステップＳ５０７）、パネル部２が払拭状態とされ、これ以降、制御部６はパネル部２への入力を無効とする（ステップＳ５０８）。
【００３０】
本実施形態によれば、パネル部２上の押圧面積が所定値Ｓ以上の場合に、パネル部２上に状態確認キーを表示し、状態確認キーを見たユーザが許可した場合に、パネル部２を払拭状態とすることにより、パネル部２上の払拭作業をよりいっそう確実に検出することができる。
【００３１】
＜実施形態３＞
次に、図６に示されたフローチャートに基づいて、本発明の実施形態３によるタッチパネル装置１の制御方法および制御プログラムについて説明する。本実施形態の説明においては、図４に示した実施形態１による制御フローチャートと異なる箇所のみについて説明する。ステップＳ６０４において、算出されたパネル部２上の押圧面積が所定値Ｓ以上である場合、制御部６は、車両から発せられた車両故障が発生した旨の緊急警報を警報入力部７が受信しているか否かを判定する（ステップＳ６０５）。警報入力部７が緊急警報を受信していない場合、上述した実施形態１と同様に、タイマーが起動された後（ステップＳ６０７）、パネル部２が払拭状態とされ、これ以降、制御部６はパネル部２への入力を無効とする（ステップＳ６０８）。
一方、ステップＳ６０５において、警報入力部７が緊急警報を受信していると判定された場合、制御部６はパネル部２に緊急警報の内容とともに、パネル部２を払拭状態とはしない旨の表示を行い、パネル部２の通常状態が継続される（ステップＳ６０６）。
【００３２】
本実施形態によれば、警報入力部７が車両からの緊急警報を受信した場合には、パネル部２の払拭状態への移行を禁止することにより、パネル部２の払拭作業の有無にかかわらず、緊急性を有する警報を確実に表示してユーザに通知するとともに、ユーザの入力を有効にして警報に対処することができる。
【００３３】
＜実施形態４＞
次に、図７に示されたフローチャートに基づいて、本発明の実施形態４によるタッチパネル装置１の制御方法および制御プログラムについて説明する。本実施形態の説明においては、図４に示した実施形態１による制御フローチャートと異なる箇所のみについて説明する。ステップＳ７０４において、算出されたパネル部２上の押圧面積が所定値Ｓ以上である場合、パネル部２は払拭状態とされ、これ以降、制御部６はパネル部２への入力を無効とする（ステップＳ７０５）。
【００３４】
一方、軌跡形成部８は払拭状態となった後に、パネル部２上が払拭されることにより押圧された範囲に基づいて、その時々の払拭軌跡を算出する（ステップＳ７０６）。その後、制御部６は、軌跡形成部８により形成された払拭軌跡をパネル部２に表示する（ステップＳ７０７）。パネル部２における払拭軌跡の表示は、黒色表示されたその他の領域と区別して、例えば、白色等により表示されることが望ましい。これにより、ユーザは払拭作業の進行により変化する払拭軌跡を、はっきりと見ることができる。
【００３５】
また、軌跡形成部８は形成された払拭軌跡に基づいて、パネル２上の払拭されることにより押圧された領域の広さの、パネル部２の画面全体の広さに対する比（押圧された領域の広さ／パネル部２の画面全体の広さ）を算出して軌跡比率とする。制御部６は、軌跡形成部８により算出された軌跡比率が、所定値ｐ（０＜ｐ≦１）以上であるか否かを判定する（ステップＳ７０８）。払拭状態は軌跡比率がｐ以上となるまで継続され、軌跡比率がｐ以上となると、払拭状態は終了してパネル部２は通常状態に復帰する（ステップＳ７０９）。
【００３６】
尚、本実施形態においては、必ずしも、パネル２上の押圧された領域の広さの、パネル部２の画面全体の広さに対する比に基づいて払拭状態を終了させる必要はなく、例えば、押圧された領域の広さの残りの領域の広さに対する比、押圧された領域の広さと残りの領域の広さとの差、押圧された領域の広さとパネル部２の画面全体の広さとの差等の、パネル部２における払拭作業の進捗状況を表すものに基づいて払拭状態を終了させればよい。
【００３７】
本実施形態によれば、パネル部２を払拭状態とした後に、パネル部２上の押圧された範囲を払拭軌跡として、パネル部２上に表示することにより、ユーザがパネル部２の払拭作業の進捗状況を把握することができる。
また、パネル部２を払拭状態とした後に、パネル部２上の押圧された広さとパネル部２の画面全体の広さとの関係に基づいて、払拭状態を終了することにより、特別な操作をしなくても、パネル部２の払拭作業の進行状況に応じて払拭状態を終了させ、パネル部２への入力を有効にすることができる。
【００３８】
＜実施形態５＞
次に、図８に示されたフローチャートに基づいて、本発明の実施形態５によるタッチパネル装置１の制御方法および制御プログラムについて説明する。本実施形態の説明においては、図７に示した実施形態４による制御フローチャートと異なる箇所のみについて説明する。ステップＳ８０５において、パネル部２が払拭状態となると、上述した実施形態４と同様に軌跡形成部８が払拭軌跡を算出した後に（ステップＳ８０６）、払拭軌跡をパネル部２に表示する（ステップＳ８０７）。
【００３９】
一方、タイマー部９は、払拭状態中にパネル部２上が押圧されない時間があれば、これをカウントする。実施形態４において、軌跡比率が所定値ｐ以上である場合に払拭状態を終了させていたのに代えて、本実施形態においては、払拭状態中に所定時間の間、パネル部２が押圧されない場合に払拭状態が終了する。すなわち、ステップＳ８０８において、パネル部２上が押圧されない時間が所定時間ｔ以上であるか否かが判定され、所定時間ｔ以上である場合に、払拭状態が終了して通常状態に復帰する（ステップＳ８０９）。
【００４０】
本実施形態によれば、パネル部２を払拭状態とした後に、所定時間の間、パネル部２が押圧されない場合に払拭状態を終了することにより、払拭作業が中断したような場合、特別な操作をしなくてもパネル部２への入力を復帰させることができる。
【００４１】
＜他の実施形態＞
本発明は、上述した実施形態に限定されるものではなく、次のように変形または拡張することができる。
パネル部の入力検出の方法は光学方式のみでなく、抵抗膜方式、アナログ容量結合方式、超音波方式等、あらゆる方式が適用可能である。
本発明によるタッチパネル装置、タッチパネル装置の制御方法、およびタッチパネル装置の制御プログラムは、車載ナビゲーション装置以外の、鉄道の券売機、家電、ＯＡ機器の操作画面、銀行等のＡＴＭ等にも使用可能である。
【００４２】
実施形態２、実施形態３および実施形態４の内のいずれか２つ、あるいはすべてを組み合わせて実施することも可能である。また、実施形態５を実施形態２および実施形態３のいずれかと、あるいは双方と組み合わせて実施することも可能である。
算出したパネル部２上の押圧面積が所定値Ｓより大きい場合（所定値Ｓと等しい場合は除く）に、制御部６がパネル部２を払拭状態としてもよい。
【図面の簡単な説明】
【００４３】
【図１】本発明の実施形態１によるタッチパネル装置のブロック図
【図２】入力検出の説明のためのパネル部の拡大図
【図３】押圧面積の算出方法の説明のためのパネル部の拡大図
【図４】実施形態１によるタッチパネル装置の制御フローチャート
【図５】実施形態２によるタッチパネル装置の制御フローチャート
【図６】実施形態３によるタッチパネル装置の制御フローチャート
【図７】実施形態４によるタッチパネル装置の制御フローチャート
【図８】実施形態５によるタッチパネル装置の制御フローチャート
【符号の説明】
【００４４】
図面中、１はタッチパネル装置、２はパネル部（パネル）、３は入力部（入力検出手段）、４は検出部（押圧位置検出手段）、６は制御部（押圧面積算出手段、入力制御手段）、７は警報入力部（警報入力手段）、１１は発光ダイオード（入力検出手段、押圧位置検出手段）、１２はフォトトランジスタ（入力検出手段、押圧位置検出手段）を示している。
【図１】
2008282206.tif 000003
【図２】
2008282206.tif 000004
【図３】
2008282206.tif 000005
【図４】
2008282206.tif 000006
【図５】
2008282206.tif 000007
【図６】
2008282206.tif 000008
【図７】
2008282206.tif 000009
【図８】
2008282206.tif 000010